(57)【要約】【課題】旅行や外出時に携帯電話機等のバッテリー電池を利用して手軽に使用できる軽量・コンパクトな携帯用のＴ字型振動カミソリ器の提供を図る。【解決手段】携帯用のＴ字型振動カミソリ器１であって、バッテリー接続端子７が備えられたホルダー６と、該ホルダー６上方に取り付けられ振動発生装置５が付設された連結柄４と、該連結柄４へ連結するための連結部３を下方に有する着脱自在のＴ字型替刃ユニット２と、からなる構成を採用している。【選択図】図１
2007307078.tif 000002
【特許請求の範囲】
【請求項１】
携帯用のＴ字型振動カミソリ器であって、バッテリー接続端子が備えられたホルダーと、該ホルダー上方に取り付けられ振動発生装置が付設された連結柄と、該連結柄へ連結するための連結部を下方に有する着脱自在のＴ字型替刃ユニットと、からなることを特徴とする携帯用Ｔ字型振動カミソリ器。
【請求項２】
前記連結柄及びＴ字型替刃ユニットにおける連結部に、長さ位置調節機構を備えたことを特徴とする請求項１に記載の携帯用Ｔ字型振動カミソリ器。
【請求項３】
前記連結柄が、ホルダーに対して回動自在に取り付けられていることを特徴とする請求項１または請求項２に記載の携帯用Ｔ字型振動カミソリ器。
【請求項４】
前記連結柄が、ホルダーに対して伸縮自在に取り付けられていることを特徴とする請求項１または請求項２に記載の携帯用Ｔ字型振動カミソリ器。
【請求項５】
前記連結柄が、弾性部材で形成されていることを特徴とする請求項１から請求項４のいずれかに記載の携帯用Ｔ字型振動カミソリ器。
【発明の詳細な説明】
【技術分野】
【０００１】
本発明は、携帯用のＴ字型振動カミソリ器に関し、詳しくは、旅行や外出時に携帯電話機等のバッテリー電池を利用して、手軽に使用できる軽量・コンパクトなＴ字型振動カミソリ器に関するものである。
【背景技術】
【０００２】
従来のひげそり器具は、お湯や石鹸泡を用いて使用するウエットタイプの使い捨てＴ字型替刃カミソリ具と、お湯や石鹸泡を使わないドライタイプの充電式電気シェーバーが一般に普及している。
【０００３】
前記使い捨てタイプのＴ字型替刃カミソリ具は、お湯や石鹸泡を用いてひげそり肌面を潤す手間が掛かるが、商品コストが安く使い捨てができることによって衛生面と切れ味が常に保たれるため、旅行グッズとしてや旅館・ホテルなどのアメニティー商品として広く利用されている。それらの一例として、薄型でカード入れの中に入る「カード型折畳式ひげ剃り器」（特許文献１参照）なども提案されている。
【０００４】
一方、前記充電式電気シェーバーは、充電式にすることによって時間と場所を選ぶことなくリアルタイムで使用することができることから、家庭用を始め旅行用としても広く一般的に使われるようになっている。また最近では、電気シェーバーのひげそり刃の構造および駆動方式も、各メーカーによって多種多様の提案がなされ、その中で本発明の基本構成部品の振動発生装置を採用している「振動式電気かみそり」（特許文献２参照）が提案され、実用化されている。
【０００５】
以上のように、使い捨てタイプのＴ字型替刃カミソリ具は、商品コストが安価な利点があるものの、お湯や石鹸泡を用いてひげそり肌面を潤す手間が掛かると言う欠点があり、一方、充電式電気シェーバーは、時間と場所を選ぶことなくリアルタイムで使用することができると言う利点があるものの、商品コストが高いと言った欠点を持ち併せていた。
【０００６】
【特許文献１】登録実用新案第３０１８８２号公報
【特許文献２】特許公開２０００−３００８６９号公報
【発明の開示】
【発明が解決しようとする課題】
【０００７】
本発明は、上記問題点に鑑み、商品コストが安価で、お湯や石鹸泡を用いてひげそり肌面を潤す手間が掛からず、時間と場所を選ぶことなくリアルタイムで使用することができる携帯用のＴ字型振動カミソリ器を提供することを目的とするものである。
【課題を解決するための手段】
【０００８】
前記目的を達成するため、本発明は、携帯用のＴ字型振動カミソリ器であって、バッテリー接続端子が備えられたホルダーと、該ホルダー上方に取り付けられ振動発生装置が付設された連結柄と、該連結柄へ連結するための連結部を下方に有する着脱自在のＴ字型替刃ユニットと、からなる構造を採用している。
【０００９】
また、本発明は、前記連結柄及びＴ字型替刃ユニットにおける連結部に、長さ位置調節機構を備えた構造を採ることもできる。
【００１０】
さらに、本発明は、前記連結柄が、ホルダーに対して回動自在に取り付けられている構造とすることができる。
【００１１】
またさらに、本発明は、前記連結柄が、ホルダーに対して伸縮自在に取り付けられている構造とすることもできる。
【００１２】
さらにまた、本発明は、前記連結柄が、弾性部材で形成されている構造を採用することもできる。
【発明の効果】
【００１３】
本発明にかかる携帯用Ｔ字型振動カミソリ器によれば、最小限の部品点数と形状・機能で構成されているため、軽量・コンパクト及び低コスト化を実現するものである。
【００１４】
また、使い捨てのＴ字型替刃カミソリ具でありながら、お湯や石鹸泡を用いてひげそり肌面を潤す必要がなく、時間と場所を選ぶことなくリアルタイムで使用することが可能であるとともに、衛生面や切れ味に関しても最良の状態を維持することができる。
【発明を実施するための最良の形態】
【００１５】
以下、本発明にかかる携帯用Ｔ字型振動カミソリ器の実施形態を、図面に基づいて説明する。
【００１６】
図１は、本発明にかかる携帯用Ｔ字型振動カミソリ器１の第一の実施形態を示す説明図であり、図１（ａ）は各構成部品を示す分解斜視図であり、また、図１（ｂ）は構成部品が組み立てられた状態を示している。該携帯用Ｔ字型振動カミソリ器１は、バッテリー接続端子７が備えられた平板状のホルダー６と、該ホルダー６上方に取り付けられ振動発生装置５が付設された連結柄４と、該連結柄４へ連結するための連結部３を下方に有する着脱自在のＴ字型替刃ユニット２とから構成されている。
【００１７】
ホルダー６は、バッテリーＢを保持し、かつ、該バッテリーＢから電源を振動発生装置５に伝達する機能を備えている。すなわち、バッテリーＢを収納可能であるとともに、バッテリーＢから電源を取るためのバッテリー接続端子７が備えられている。該ホルダー６は、かかる機能を備えるものであれば、その形状について図面に示すような形状に限定するものではなく、バッテリーＢの形状に合わせて適宜決定されればよい。
【００１８】
なお、本発明の携帯用Ｔ字型振動カミソリ器１に使用されるバッテリーＢについて、特に限定するものではない。かかるバッテリーＢとして携帯電話のバッテリーＢを使用可能とすることにより、専用のバッテリーＢを予め準備することなく使用できる上、日常的に携帯電話の充電を行うことにより、携帯用Ｔ字型振動カミソリ器１の充電も必然的に行うことができる効果を奏する。また、バッテリーＢとして、通常の乾電池Ｄを使用する態様も、もちろん可能である。
【００１９】
前記ホルダー６の上方には、連結柄４が取り付けられている。該連結柄４には振動発生装置５が付設されており、前記バッテリーＢからの電源供給を受けて振動を発生する。かかる振動発生装置５は、本発明の構成上、小型であること以外に特に限定はなく、偏芯カムと小型モーターを内蔵した通常のものでよい。かかる連結柄４は、後述するＴ字型替刃ユニット２とホルダー６とを連結するための機能を有するとともに、振動発生装置５により発生した振動を、Ｔ字型替刃ユニット２へ伝達する機能を有する。
【００２０】
なお、かかる連結柄４の材質について、板ばねや合成樹脂などの弾性部材で形成することが望ましい。弾性部材で形成することで、Ｔ字型替刃ユニット２を肌へ押し当てる際に連結柄４が撓んで、その押圧を適度な状態としたり、さらには、肌の角度に合わせてＴ字型替刃ユニット２を適当な角度状態とすることが可能となる。
【００２１】
また、連結柄４が、ホルダー６に対して回動自在に取り付けられた構造とすることも可能である。かかる構造とすることで、不使用時にＴ字型替刃ユニット２をホルダー６側へ回動させて、携帯用Ｔ字型振動カミソリ器１をコンパクトな状態とすることができる。
【００２２】
さらに、図３に示すように、連結柄４が、ホルダーに対して伸縮自在に取り付けられた構造とすることも可能である。かかる構造とすることで、上記同様、不使用時にＴ字型替刃ユニット２をホルダー６側へ収縮させて、携帯用Ｔ字型振動カミソリ器１をコンパクトな状態とすることができる。
【００２３】
前記連結柄４には、Ｔ字型替刃ユニット２が連結される。すなわち、Ｔ字型替刃ユニット２は、その下方に該連結柄４へ連結するための連結部３を有する構造となっており、かかる連結部３を介して該Ｔ字型替刃ユニット２は、連結柄４に対して着脱自在となっている。
【００２４】
このとき、前記連結柄４及びＴ字型替刃ユニット２における連結部３に、長さ位置調節機構を備える構造を採用することも可能である。すなわち、使用する者や場所によって、ホルダー６からＴ字型替刃ユニット２までの距離を適宜変更可能とすることにより、より使用に便利なものとすることができる。
【００２５】
Ｔ字型替刃ユニット２は、Ｔ字型であって、カミソリとしての機能を備える構造であればよく、二枚刃・三枚刃等については特に問わない。そしてまた、Ｔ字型替刃ユニット２は、使い捨てであって、使用状態に応じて適宜新しいものへと交換することとなる。
【００２６】
なお、図２は、本発明にかかるＴ字型振動カミソリ器１の第二の実施形態を示す説明図であり、図２（ａ）は各構成部品を示す分解斜視図であり、また、図２（ｂ）は構成部品が組み立てられた状態を示している。詳しくは、ホルダー６を筒状に成形し、バッテリーＢとして乾電池Ｄを装着する構造となっており、該ホルダー６上方に振動発生装置５を付設した連結柄４を被せるように配置し、該連結柄４にＴ字型替刃ユニット２の連結部３を連結する実施形態である。なお、図面では、ホルダー６を分離して、その分離された一のホルダー６を連結柄４の上方から被せて、該連結柄４を固定する構造を採った場合について示している。かかる構造によって、見た目に洒落た綺麗な携帯用Ｔ字型振動カミソリ器１を提供することができる。
【００２７】
図３は、第一の実施形態にかかる携帯用Ｔ字型振動カミソリ器１の実施例を示す説明図である。詳しくは、図面に示すように、携帯電話Ｋの背面に携帯用Ｔ字型振動カミソリ器１をホルダー６を介して装着し、必要に応じてＴ字型替刃ユニット２を出し入れ自在としたものである。このとき、携帯電話ＫのバッテリーＢを利用して、振動発生装置５への電源を取り入れるようにすることも可能である。なお、かかる実施例において、携帯用Ｔ字型振動カミソリ器１を覆う保護カバーＣを設けることが好ましい。
【００２８】
このように、第一の実施形態にかかる携帯用Ｔ字型振動カミソリ器１は、ホルダー６が平板状であるため、ありとあらゆるものに装着することが可能である。すなわち、装着対象として上記携帯電話Ｋのほか、例えば、携帯用化粧鏡や靴べら・観賞用玩具類・ミニカー・ライター・名刺入れ・タバコケース等、種々のものが考え得る。かかる装着手段については特に限定はなく、磁石や両面テープ、ベルクロファスナー等を用いればよい。
【００２９】
図４は、本発明にかかる携帯用Ｔ字型振動カミソリ器１の使用状態を示す説明図である。ホルダー６にバッテリーＢを装着し、連結柄４にＴ字型替刃ユニット２を連結して、さらに、ホルダー６あるいは振動発生装置５に設けられた電源スイッチＳをＯＮにして振動を発生させることで、携帯用Ｔ字型振動カミソリ器１は使用可能状態となり、その状態で肌にＴ字型替刃ユニット２を押し当てることでカミソリとして機能する。
【００３０】
かかる使用に際しては、お湯や石鹸泡を用いて肌面を潤す手間が掛からず、時間と場所を選ぶことなくリアルタイムで使用することが可能であるが、従来のＴ字型カミソリの使用と同様に、お湯や石鹸泡を用いて肌面を潤すことで、振動との相乗効果により効果的にカミソリ機能を発揮することとなる。
【産業上の利用可能性】
【００３１】
本発明にかかる携帯用Ｔ字型振動カミソリ器１は、本来的には髭剃りや無駄毛剃り等において、効果的にカミソリ機能を向上させるものであるが、その構造上、Ｔ字型替刃ユニット２を歯ブラシやネイルやすりなどと交換することにより、旅行や化粧用のアニメティーグッズとしても利用できるといった、多目的に利用できるものであって、その産業上の利用可能性は大である。
【図面の簡単な説明】
【００３２】
【図１】本発明にかかる携帯用Ｔ字型振動カミソリ器の第一の実施形態を示す説明図である。
【図２】本発明にかかる携帯用Ｔ字型振動カミソリ器の第二の実施形態を示す説明図である。
【図３】本発明にかかる携帯用Ｔ字型振動カミソリ器の実施例を示す説明図である。
【図４】本発明にかかる携帯用Ｔ字型振動カミソリ器の使用状態を示す説明図である。
【符号の説明】
【００３３】
１    携帯用Ｔ字型振動カミソリ器
２    Ｔ字型替刃ユニット
３    連結部
４    連結柄
５    振動発生装置
６    ホルダー
７    バッテリー接続端子
Ｂ    バッテリー
Ｃ    カバー
Ｄ    乾電池
Ｋ    携帯電話
【図１】
2007307078.tif 000003
【図２】
2007307078.tif 000004
【図３】
2007307078.tif 000005
【図４】
2007307078.tif 000006